(57)【要約】  一実施形態に係るマイクロニードル・シートは、主面を有するシート本体と、シート本体に形成され且つ主面に沿って寝た状態である少なくとも一つのマイクロニードルとを備える。少なくとも一つのマイクロニードルのそれぞれは、シート本体の第１側に位置する根元と、該第１側の反対側であるシート本体の第２側を向く先端とを有する。シート本体の第１部分が第１側から曲げられることで、該第１部分に位置するマイクロニードルが主面から立ち上がり、該立ち上がったマイクロニードルが皮膚に適用される。
2021070568.tif 000002
【特許請求の範囲】
【請求項１】
主面を有するシート本体と、
前記シート本体に形成され且つ前記主面に沿って寝た状態である少なくとも一つのマイクロニードルと
を備え、
前記少なくとも一つのマイクロニードルのそれぞれが、前記シート本体の第１側に位置する根元と、該第１側の反対側である前記シート本体の第２側を向く先端とを有し、
前記シート本体の第１部分が前記第１側から曲げられることで、該第１部分に位置する前記マイクロニードルが前記主面から立ち上がり、該立ち上がったマイクロニードルが皮膚に適用される、
マイクロニードル・シート。
【請求項２】
前記シート本体の第１部分が鋭角に曲げられる、
請求項１に記載のマイクロニードル・シート。
【請求項３】
前記立ち上がったマイクロニードルの前記先端が前記皮膚に接し、該皮膚に接した該先端が、前記第２側から前記第１側に向かう方向に沿って該皮膚上を進むことで、該立ち上がったマイクロニードルが該皮膚に適用される、
請求項１または２に記載のマイクロニードル・シート。
【請求項４】
前記立ち上がったマイクロニードルが前記皮膚に適用された後に、該マイクロニードルが再び前記主面に沿って寝た状態になる、
請求項１〜３のいずれか一項に記載のマイクロニードル・シート。
【請求項５】
前記第１部分が曲げられる前に、該第１部分に位置する前記マイクロニードルの側面が前記皮膚に接する、
請求項１〜４のいずれか一項に記載のマイクロニードル・シート。
【請求項６】
前記シート本体が帯状であり、
前記少なくとも一つのマイクロニードルが複数のマイクロニードルであり、
前記複数のマイクロニードルが、前記第１側から前記第２側にわたって延びる前記シート本体の第１方向と、該第１方向と直交する第２方向のそれぞれにおいて一列に並ぶように形成される、
請求項１〜５のいずれか一項に記載のマイクロニードル・シート。
【請求項７】
前記第２方向に沿って前記第１部分が曲げられることで、前記第１部分に位置する列の２以上のマイクロニードルが一度に立ち上がる、
請求項６に記載のマイクロニードル・シート。
【請求項８】
前記マイクロニードル・シートが他の経皮吸収促進技術と併用可能であり、
前記他の経皮吸収促進技術が、電気、圧力、磁場、および超音波のうちの少なくとも一つを含む、
請求項１〜７のいずれか一項に記載のマイクロニードル・シート。
【請求項９】
マイクロニードル・シートと、
前記マイクロニードル・シートを曲げるための曲げ部と
を備え、
前記マイクロニードル・シートが、主面を有するシート本体と、前記シート本体に形成され且つ前記主面に沿って寝た状態である少なくとも一つのマイクロニードルとを備え、
前記少なくとも一つのマイクロニードルのそれぞれが、前記シート本体の第１側に位置する根元と、該第１側の反対側である前記シート本体の第２側を向く先端とを有し、
前記曲げ部が前記シート本体の第１部分を前記第１側から曲げることで、該第１部分に位置する前記マイクロニードルが前記主面から立ち上がり、該立ち上がったマイクロニードルが皮膚に適用される、
アプリケータ。
【請求項１０】
前記マイクロニードル・シートと前記曲げ部とを有する第１カートリッジと、
前記マイクロニードルが適用された前記皮膚へと貼付剤を供給する第２カートリッジと
を備える請求項９に記載のアプリケータ。
【発明の詳細な説明】
【技術分野】
【０００１】
本開示の一側面はマイクロニードル・シートおよびアプリケータに関する。
【背景技術】
【０００２】
皮膚を介して活性成分を投与するために用いられるマイクロニードル・シートが知られている。例えば特許文献１には、シートの主面に略沿って該シートに形成された複数のマイクロニードルを備えるマイクロニードル・シートが記載されている。このマイクロニードル・シートでは、シートが曲げられることでマイクロニードルが主面から立ち上がり、立ち上がった該マイクロニードルが皮膚に刺さる。
【先行技術文献】
【特許文献】
【０００３】
【特許文献１】国際公開第２０１３／１８７３９２号
【発明の概要】
【発明が解決しようとする課題】
【０００４】
マイクロニードルの取扱時の安全性を確保することが望まれている。
【課題を解決するための手段】
【０００５】
本開示の一側面に係るマイクロニードル・シートは、主面を有するシート本体と、シート本体に形成され且つ主面に沿って寝た状態である少なくとも一つのマイクロニードルとを備える。少なくとも一つのマイクロニードルのそれぞれは、シート本体の第１側に位置する根元と、該第１側の反対側であるシート本体の第２側を向く先端とを有する。シート本体の第１部分が第１側から曲げられることで、該第１部分に位置するマイクロニードルが主面から立ち上がり、該立ち上がったマイクロニードルが皮膚に適用される。【０００６】
このような側面においては、シート本体が曲げられるまではマイクロニードルがシート本体の主面に沿って寝た状態にある。このことは、マイクロニードルが皮膚に適用されるまでは、マイクロニードルの先端が該主面上から突き出ていないことを意味する。したがって、マイクロニードル・シートを皮膚に適用しない限り、マイクロニードルが他の物に当たったり引っ掛かったりする心配がない。その結果、マイクロニードルの取扱時の安全性を確保することができる。
【発明の効果】
【０００７】
本開示の一側面によれば、マイクロニードルの取扱時の安全性を確保することができる。
【図面の簡単な説明】
【０００８】
【図１】実施形態に係るマイクロニードル・シートの一例を示す平面図である。
【図２】実施形態に係るマイクロニードル・シートの２種類の状態を示す図である。
【図３】実施形態に係るマイクロニードル・シートの使用方法の一例を示す図である。
【図４】マイクロニードルの立ち上がりの一例を示す図である。
【図５】実施形態に係るマイクロニードル・シートに関するｉｎ  ｖｉｔｒｏ試験の結果を示す写真である。
【図６】実施形態に係るアプリケータの一例を下方から見た斜視図である。
【図７】実施形態に係るアプリケータの一例を上方から見た斜視図である。
【図８】実施形態に係るアプリケータの使用方法の一例を示す図である。
【発明を実施するための形態】
【０００９】
以下、添付図面を参照しながら本開示の実施形態を詳細に説明する。なお、図面の説明において同一または同等の要素には同一の符号を付し、重複する説明を省略する。
【００１０】
［マイクロニードル・シートの構造］
図１および図２を参照しながら、実施形態に係るマイクロニードル・シート１０の構造について説明する。図１はマイクロニードル・シート１０の一例を示す平面図である。図２はマイクロニードル・シート１０の２種類の状態を示す図である。
【００１１】
マイクロニードル・シート１０は、生体内に任意の活性成分（例えば薬剤）を経皮投与するための器具である。図１の例ではマイクロニードル・シート１０は帯状（細長い矩形）を呈する。マイクロニードル・シート１０は、薄板状のシート本体１１と、このシート本体１１に形成された少なくとも一つのマイクロニードル１２とを備える。本実施形態では、長辺に沿った方向をマイクロニードル・シート１０（またはシート本体１１）の長手方向といい、短辺に沿った方向（長手方向と直交する方向）をマイクロニードル・シート１０（またはシート本体１１）の幅方向という。長手方向および幅方向の双方と直交する方向をマイクロニードル・シート１０（またはシート本体１１）の厚さ方向という。本実施形態では、長手方向におけるシート本体１１の両端を第１端１３および第２端１４といい、第１端１３の側を第１側９１といい、第２端１４の側を第２側９２という。第２側９２は第１側９１の反対側である。シート本体１１の長手方向は、第１端１３（第１側９１）から第２端１４（第２側９２）にわたって延びる方向であるともいえる。シート本体１１は第１端１３（第１側９１）から第２端１４（第２側９２）にわたって延びる主面１１ａを有する。
【００１２】
一例では、マイクロニードル・シート１０は複数のマイクロニードル１２を備える。各マイクロニードル１２の厚さ（厚さ方向に沿った長さ）はシート本体１１の厚さと同じである。複数のマイクロニードル１２は、シート本体１１の長手方向および幅方向のそれぞれにおいて２以上のマイクロニードル１２が一列に並ぶように形成される。それぞれのマイクロニードル１２は、根元がシート本体１１の第１側９１に位置し先端がシート本体１１の第２側９２を向くように形成される。すなわち、マイクロニードル１２の根元から先端にわたって延びるマイクロニードル１２の側面は主面１１ａと平行またはほぼ平行である。なお、一部のマイクロニードル１２の向きが他のマイクロニードル１２の向きと異なってもよい。
【００１３】
本開示では、マイクロニードル１２の先端が向く方向、すなわち、第１側と第２側とを結ぶ方向を、マイクロニードル・シート１０（またはシート本体１１）の第１方向ともいう。また、主面１１ａ上において第１方向と直交する方向を、マイクロニードル・シート１０（またはシート本体１１）の第２方向ともいう。本実施形態では、第１方向は長手方向であり、第２方向は幅方向である。
【００１４】
マイクロニードル・シート１０が提供される時点（すなわち、使用前の時点）では、マイクロニードル・シート１０は曲げられていない真っ直ぐな状態である。本開示ではこの状態を「第１状態」ともいう。一方、マイクロニードル・シート１０が使用される際には、マイクロニードル・シート１０は、マイクロニードル１２の先端の向きと交差する方向に曲面が形成されるようにシート本体１１の少なくとも一部が曲げられた状態になる。本開示ではこの状態を「第２状態」ともいう。例えば、マイクロニードル１２の先端の向きと直交またはほぼ直交する方向に沿って曲面が形成されるようにシート本体１１が曲げられる。図２に示すように、マイクロニードル・シート１０は第１状態Ｓ１から第２状態Ｓ２に移ることが可能であり、第２状態Ｓ２から第１状態Ｓ１に戻ることも可能である。図２に示す第２状態Ｓ２では、マイクロニードル１２の先端の向きと直交する方向に沿って曲面が形成されるようにシート本体１１が曲げられている。
【００１５】
第１状態Ｓ１では、各マイクロニードル１２は、シート本体１１の主面１１ａから立ち上がっておらず、主面１１ａに沿って寝た状態にある。言い換えると、複数のマイクロニードル１２のそれぞれの先端は第２端１４（第２側９２）を向く。あるいは、各マイクロニードル１２とシート本体１１（主面１１ａ）との成す角度が０°またはほぼ０°であるということもできる。
【００１６】
第２状態Ｓ２は、シート本体１１の第１端１３の移動によりシート本体１１が曲げられることで生ずる。例えば、第２状態Ｓ２はシート本体１１が鋭角に曲げられることで生ずる。この第２状態Ｓ２では、シート本体１１の曲げられた部分に位置する少なくとも一つのマイクロニードル１２が主面１１ａから立ち上がる。本開示では、その曲げられる部分を便宜的に「第１部分」という。マイクロニードル・シート１０の第１部分に位置するマイクロニードル１２と主面１１ａとの成す角度は、その第１部分が曲げられることで変化する。具体的には、その角度は０°またはほぼ０°から、より大きな値（例えば、１０〜９０°の間の任意の値）に増加する。立ち上がったマイクロニードル１２は皮膚に適用される。本開示において、「マイクロニードルが皮膚に適用される」との表現は、少なくとも、マイクロニードルの先端が皮膚の表面に接触することをいう。その表現は、そのマイクロニードルによって皮膚に微細な傷を付けることをさらに意味し得る。
【００１７】
曲げられていた第１部分が元の真っ直ぐな状態に戻ると、第１部分に位置するマイクロニードル１２と主面１１ａとの成す角度は減少する。すなわち、マイクロニードル・シート１０は第２状態Ｓ２から第１状態Ｓ１に戻る。その角度は再び０°またはほぼ０°まで減少してもよいし、０°またはほぼ０°まで戻らなくてもよい。
【００１８】
本実施形態ではマイクロニードル１２が三角形状であるが、マイクロニードルの形状は何ら限定されない。図１の例では、マイクロニードル１２の大きさおよび向きが均一であるが、その大きさおよび向きの少なくとも一方が均一でなくてもよい。マイクロニードル１２が三角形である場合には、その先端の角度の下限は例えば１０°または２０°でもよいし、その角度の上限は例えば１５０°または１２０°でもよい。マイクロニードル・シート１０におけるマイクロニードル１２の分布は均一でもよいし均一でなくてもよい。例えば、マイクロニードル・シート１０を長手方向に沿って見た場合に、１以上のマイクロニードル１２を含む領域（ニードル領域）と、マイクロニードル１２を含まない領域（クリアランス領域）とが交互に存在するように、シート本体１１に複数のマイクロニードル１２が形成されてもよい。
【００１９】
マイクロニードル・シート１０の寸法は限定されない。具体的には、厚さの下限は５μｍ、１０μｍ、２０μｍ、３０μｍ、４０μｍ、または５０μｍでもよく、厚さの上限は１０００μｍ、５００μｍ、３００μｍ、２００μｍ、１５０μｍ、１００μｍ、９０μｍ、８０μｍ、７０μｍ、６０μｍ、または５０μｍでもよい。この厚さは、シート本体１１の厚さでもあり、マイクロニードル１２の厚さでもある。したがって、マイクロニードル・シート１０の厚さの下限は、皮膚に適用されるマイクロニードル１２の強度を考慮して定められてもよい。また、その厚さの上限はシート本体１１の屈曲性などを考慮して定められてもよい。マイクロニードル・シート１０の長さの下限は０．１ｃｍでも１ｃｍでもよく、長さの上限は５０ｃｍでも２０ｃｍでもよい。マイクロニードル・シート１０の幅の下限は０．１ｃｍでも１ｃｍでもよく、幅の上限は６０ｃｍでも３０ｃｍでもよい。マイクロニードル・シート１０の長さおよび幅の下限は活性成分の投与量を考慮して定められてもよい。その長さおよび幅の上限は生体の大きさを考慮して定められてもよい。
【００２０】
マイクロニードル１２の高さの下限は１０μｍ、１００μｍ、または２００μｍでもよく、その高さの上限は１００００μｍでも１０００μｍでも５００μｍでもよい。マイクロニードルの高さとは根元から先端までの長さのことをいう。マイクロニードル１２の密度の下限は０．０５本／ｃｍ２でも１本／ｃｍ２でもよく、その密度の上限は１００００本／ｃｍ２でも５０００本／ｃｍ２でもよい。密度の下限は、１ｍｇの活性成分を投与し得るマイクロニードル１２の本数および面積から換算されてもよい。密度の上限は、マイクロニードル１２の形状を考慮した上での限界値により設定されてもよい。
【００２１】
マイクロニードル・シート１０およびマイクロニードル１２の材料は限定されない。一例では、マイクロニードル・シート１０を折り返したり皮膚の表面形状に追従させたりすることができるような柔軟性をマイクロニードル・シート１０に持たせることができるように材料が選択される。例えば、ステンレス鋼、ポリエチレンテレフタレート（ＰＥＴ）、ポリビニルアルコール（ＰＶＡ）、乳酸−グリコール酸共重合体（ＰＬＧＡ）、ポリ乳酸（ＰＬＡ）、プルラン、水溶性高分子、他の金属、他の樹脂、生分解性素材、セラミック、または生体吸収性素材のいずれかによりマイクロニードル・シート１０およびマイクロニードル１２が作製されてもよい。あるいは、これらの材料を組み合わせてマイクロニードル・シート１０およびマイクロニードル１２が作製されてもよい。
【００２２】
本開示において、「マイクロニードル・シートおよびマイクロニードルの材料」とは、製作者が、マイクロニードル・シートおよびマイクロニードルを作製するために意図的に用いる物質のことをいう。マイクロニードル・シートおよびマイクロニードルの製造過程において、材料として選択されなかった物質（例えば、微量の不純物）が意図せず混入したり、そのような意図しない物質を完全に除去しきれなかったりすることがあり得る。本開示に係るマイクロニードル・シートおよびマイクロニードルは、製作者が意図する材料に加えて、その者が意図しない物質も最終的に含んでしまうマイクロニードル・シートおよびマイクロニードルも包含する。
【００２３】
マイクロニードル１２はエッチングにより形成することができる。シートが金属であれば薬液でそのシートを部分的に溶かすことでマイクロニードル１２を形成することができるし、シートが非金属であればレーザーでそのシートを部分的に切ることでマイクロニードル１２を形成することができる。あるいは、金属または非金属のシートに第１の切れ込みを入れ、その次に、その第１の切れ込みとつながるように該シートに第２の切れ込みを入れるという２段階の工程により、マイクロニードル１２の先端を形成してもよい。これらの場合には、マイクロニードル１２の周囲に空隙が生ずる。もちろん、レーザー加工およびエッチング以外の手法によりマイクロニードル１２を形成してもよい。いずれにしても、マイクロニードル１２を予めシートの主面１１ａから立ち上げておく必要がないので、マイクロニードル・シート１０を容易かつ安価に製造することができる。
【００２４】
皮膚に適用する活性成分の準備方法は限定されない。例えば、マイクロニードル・シート１０自体に（より具体的には、マイクロニードル１２自体に）予め活性成分を内包させておいてもよい。あるいは、マイクロニードル・シート１０自体に予め活性成分をコーティングしておいてもよい。あるいは、マイクロニードル１２を皮膚に適用する前にその皮膚上に活性成分を塗布しておいてもよい。あるいは、マイクロニードル１２を皮膚に適用した後に、その皮膚上に活性成分を塗布してもよいし、活性成分を含んだ貼付剤を皮膚に貼ってもよい。マイクロニードル・シート１０に予め活性成分をコーティングするのであれば、例えば、所定の粘度のコーティング液がなるべく均一な厚さでシート全体に塗布される。マイクロニードル１２の先端がシート本体１１の一端を向いているので（すなわち、マイクロニードル１２が主面１１ａに沿って寝ているので）、その均一な塗布を容易に為し得る。コーティングはスクリーン印刷の原理を用いて実施してもよいし、他の方法により実施してもよい。マイクロニードル・シート１０自体に活性成分を内包させることは、例えば、生分解性のシートまたは水溶性高分子を用いて作製されるシートを用いる場合に可能である。
【００２５】
マイクロニードル・シート１０は、主面１１ａが剥離ライナーにより保護された形態で提供されてもよい。剥離ライナーの材料の例としてＰＥＴ等のプラスチックが挙げられる。しかし、その材料は何ら限定されるものでなく、例えば金属や他の種類の樹脂などが用いられてもよい。マイクロニードル・シート１０が剥離ライナーで保護される場合には、マイクロニードル・シート１０はテープや粘着剤などにより剥離ライナーの片面に固定または仮着される。
【００２６】
各マイクロニードル１２は、曲げられるまではシート本体１１の主面１１ａに沿って寝た状態にある。したがって、マイクロニードル・シート１０を実際に使用する前の段階で、マイクロニードル１２が他の物（例えばユーザの皮膚や衣服など）に当たったり引っ掛かったりする心配がない。その結果、マイクロニードル１２の取扱時の安全性を確保することができる。例えば、ユーザはマイクロニードル・シート１０の保管、搬送、および、使用直前の準備を安全に行うことができる。
【００２７】
［マイクロニードル・シートの使用方法］
図３および図４を参照しながら、マイクロニードル・シート１０の使用方法について説明する。図３はマイクロニードル・シート１０の使用方法の一例を示す図である。図４はマイクロニードル１２の立ち上がりの一例を示す図である。
【００２８】
一例では、まず、曲げられていないマイクロニードル・シート１０が皮膚Ｓ上に置かれる。この段階では、それぞれのマイクロニードル１２の側面が皮膚Ｓに接するが、マイクロニードル１２の先端はまだ皮膚Ｓに接していない。続いて、シート本体１１の第１端１３が皮膚Ｓから離れる方向に引かれることで、シート本体１１の第１部分が第１側９１から曲げられる。「シート本体の第１部分が第１側から曲げられる」とは、マイクロニードル１２の先端が位置する側（すなわち第２側）よりも先に、マイクロニードル１２の根元が位置する側（すなわち第１側）から第１部分が曲げられることをいう。一例では、シート本体１１の第１部分が第１側９１から鋭角に曲げられる。「シート本体の第１部分が鋭角に曲げられる」とは、第１部分よりも第１端１３の側に位置するシート本体の第１側部分と、第１部分よりも第２端１４の側に位置するシート本体の第２側部分との成す角度が９０°未満になるように該第１部分が曲げられることをいう。例えば、その角度が０°またはほぼ０°になるように、すなわちシート本体１１を反転させるように（言い換えると、シート本体１１を１８０°曲げるように）、第１部分が曲げられてもよい。
【００２９】
シート本体１１の第１部分が曲げられることで、該第１部分に位置するマイクロニードル１２が主面１１ａから立ち上がり、立ち上がったマイクロニードル１２が皮膚Ｓに適用される。立ち上がったマイクロニードル１２が皮膚Ｓに適用されることで、皮膚Ｓには穴のような微細な傷Ｈが付く。第１部分の曲がり具合を示す曲率半径は限定されず、シート本体１１およびマイクロニードル１２の厚さ、マイクロニードル１２の高さなどの諸要素を考慮して任意の基準で設定されてよい。例えば、曲率半径は２５０μｍ〜１０００μｍの間の任意の値でもよい。
【００３０】
図４を参照しながら、皮膚Ｓに対するマイクロニードル１２の働きをより具体的に説明する。シート本体１１の第１部分１１ｂが曲げられる段階では、マイクロニードル１２と主面１１ａとの成す角度が増加し、これは、マイクロニードル１２が主面１１ａから立ち上がることを意味する。その段階では、立ち上がったマイクロニードル１２の先端１２ａが主面１１ａから露出し、露出した先端１２ａが皮膚Ｓに接する。第１端１３の移動に伴って、その先端１２ａは第２側９２から第１側９１に向かう方向９３に沿って皮膚Ｓ上を進みながら皮膚Ｓを削る。第１端１３がさらに移動して第１部分１１ｂが再び真っすぐになる段階では、立ち上がったマイクロニードル１２と主面１１ａとの成す角度が減少して、最終的にはその角度が０°またはほぼ０°になる。すなわち、そのマイクロニードル１２は再び主面１１ａに沿って寝た状態になる。
【００３１】
第１部分１１ｂにおいて複数のマイクロニードル１２が幅方向（第２方向）に沿って一列に並んでいる場合には、第１部分１１ｂがその幅方向（第２方向）に沿って曲げられることで、該一列の２以上のマイクロニードル１２が一度に立ち上がる。これは、その列の複数のマイクロニードル１２から選択される任意の第１マイクロニードルと該第１マイクロニードルの隣に位置する第２マイクロニードルとが一度に立ち上がることを意味する。
【００３２】
一例では、シート本体１１の第１端がさらに引かれることで、シート本体１１が徐々に皮膚Ｓから剥がされていく。この間も、シート本体１１の個々の第１部分１１ｂが曲げられることで、該第１部分１１ｂに位置するマイクロニードル１２が主面から立ち上がる。そして、その立ち上がったマイクロニードル１２の先端が皮膚Ｓに接して方向９３に沿って該皮膚Ｓ上を進むことで、該立ち上がったマイクロニードル１２が皮膚Ｓに適用される。この結果、皮膚Ｓ上には複数のマイクロニードル１２によって穴のような複数の微細な傷Ｈが付く。
【００３３】
図５は、マイクロニードル・マイクロニードル・シート１０の適用を確かめるための、ヒト皮膚を用いたｉｎ  ｖｉｔｒｏ試験の結果を示す写真である。この試験では、ＰＥＴ製のマイクロニードル・シートを用い、マイクロニードルの長さおよび先端角度をそれぞれ５００μｍ、４５°に設定した。マイクロニードル・シートを曲げたときの曲率半径は３００μｍであった。この試験では、第１部分でシート本体を１８０°曲げることでマイクロニードルをシート本体の主面から立ち上げた。複数のマイクロニードルが適用されたヒト皮膚をローダミンによって染色し、そのヒト皮膚を撮影することで、形成された傷Ｈを確認した。図５から明らかなように、本開示に係るマイクロニードル・シートの使用方法によってマイクロニードルを効果的に皮膚に適用することができる。
【００３４】
［アプリケータの構造］
図６および図７を参照しながらアプリケータの一例を説明する。図６は実施形態に係るアプリケータ１００を下方から見た斜視図であり、図７はそのアプリケータ１００を上方から見た斜視図である。
【００３５】
アプリケータ１００はマイクロニードル・シート１０および貼付剤２０を皮膚に適用するための補助器具である。より具体的には、アプリケータ１００は、マイクロニードル・シート１０により皮膚に微細な傷を付け、その場所に貼付剤２０を適用する。この結果、貼付剤２０に含まれていた活性成分が経皮投与される。
【００３６】
貼付剤２０は、パップ剤、テープ剤、含浸剤（例えば絆創膏）、フィルム製剤などとして用いられる製剤である。一例では、貼付剤２０はシート状の支持体の一方の面の少なくとも一部または略全体に粘着剤層を形成することで得られる。支持体は例えば、織布、編布、不織布、不織紙、またはフィルムによって形成されてもよく、伸縮性を有してもよい。一例では、貼付剤２０を折り返したり皮膚の表面形状に追従させたりすることができるような柔軟性を貼付剤２０に持たせることができるように材料が選択される。粘着剤層は任意の活性成分を含む。「粘着剤層が活性成分を含む」とは、粘着剤層がその中に活性成分を含有する態様と、活性成分が粘着剤層の作用面に付着した態様との双方を含む概念である。
【００３７】
アプリケータ１００は、マイクロニードル・シート１０が取り付けられた第１カートリッジ１１０と、貼付剤２０が取り付けられた第２カートリッジ１２０とを備える。第２カートリッジ１２０は第１カートリッジ１１０の上に重ねられる。第１カートリッジ１１０と第２カートリッジ１２０とを結合させる手法は限定されず、任意の構造または手法が採用されてよい。本実施形態では、第１カートリッジ１１０が位置する側をアプリケータ１００の下側と定義し、第２カートリッジ１２０が位置する側をアプリケータ１００の上側と定義する。
【００３８】
第１カートリッジ１１０は、平板状の第１支持板１１１と、この第１支持板１１１に取り付けられた環状の第１フィルム１１２と、この第１フィルム１１２に固定されたマイクロニードル・シート１０とを備える。第１フィルム１１２に覆われる第１支持板１１１の両端はいずれも丸められ、一方の端は、マイクロニードル・シート１０を皮膚に適用するためにマイクロニードル・シート１０を曲げる曲げ部１１３として機能する。第１フィルム１１２は第１支持板１１１の周りを回転することができる。マイクロニードル・シート１０は、第１支持板１１１の下面側に位置する第１フィルム１１２の部分に、それぞれのマイクロニードル１２の根元が曲げ部１１３の側を向くように、固定される。
【００３９】
第２カートリッジ１２０は、平板状の第２支持板１２１と、この第２支持板１２１に取り付けられた環状の第２フィルム１２２と、この第２フィルム１２２に取り付けられた貼付剤２０とを備える。第２フィルム１２２に覆われる第２支持板１２１の両端はいずれも丸められ、一方の端は、マイクロニードル１２が適用された皮膚に向けて貼付剤２０を供給する供給端１２３として機能する。供給端１２３は曲げ部１１３の上に位置する。第２フィルム１２２は第２支持板１２１の周りを回転することができる。貼付剤２０の一部は、第２支持板１２１の上面側に位置する第２フィルム１２２の部分に仮着され、貼付剤２０の残りの部分は、第２フィルム１２２に貼られることなく供給端１２３から外側にはみ出る。
【００４０】
アプリケータ１００を作製するための材料は限定されない。例えば、支持板の材料はアクリル等のプラスチックでもよいし、金属でもよいし、他の種類の樹脂などでもよいし、これらの組合せでもよい。フィルムの材料はＰＥＴでもよい。貼付剤２０を第２フィルム１２２から剥離し易くするために、シリコーン、フッ素化ポリオレフィンなどによる離型処理が第２フィルム１２２に施されてもよい。
【００４１】
アプリケータ１００の寸法は任意の基準で決めてよい。例えば、アプリケータ１００の幅はマイクロニードル・シート１０および貼付剤２０の幅に応じて決められてもよい。アプリケータ１００の高さおよび全長（長手方向に沿った長さ）は、アプリケータ１００の操作性、皮膚へのマイクロニードル・シート１０の適用範囲などの諸要素を考慮して決められてもよい。曲げ部１１３の形状または曲率半径は、皮膚へのマイクロニードル１２の適用を考慮して任意の方針で設計されてよい。
【００４２】
［アプリケータの使用方法］
図８はアプリケータ１００の使用方法の一例を示す図であり、より具体的には、アプリケータ１００を用いてマイクロニードル・シート１０および貼付剤２０を皮膚に適用する方法の一例を示す図である。
【００４３】
ユーザは、第１カートリッジ１１０が第２カートリッジ１２０より下に位置するようにアプリケータ１００を皮膚Ｓ上に置き、供給端１２３からはみ出た貼付剤２０の端部を皮膚Ｓに貼る。この段階では、それぞれのマイクロニードル１２の側面が皮膚Ｓに接するが、該マイクロニードル１２の先端はまだ皮膚Ｓに接していない。
【００４４】
続いて、ユーザは、曲げ部１１３および供給端１２３が位置する側とは反対の方向である移動方向９４に沿って、皮膚Ｓ上でアプリケータ１００を動かす。この操作により、第１カートリッジ１１０では、第１フィルム１１２が曲げ部１１３において下から上に移動するように回転する（図８では、この回転は時計回りの動きとして表現される）。その回転によって曲げ部１１３がマイクロニードル・シート１０へと近づく。一方、第２カートリッジ１２０では、第２フィルム１２２が供給端１２３において上から下に移動するように回転する（図８では、この回転は反時計回りの動きとして表現されている）。その回転によって、第２フィルム１２２上に仮着されていた貼付剤２０の部分が供給端１２３に向かって進む。
【００４５】
シート本体１１の第１部分が曲げ部１１３上に位置すると、その第１部分が鋭角に曲げられることで（より具体的には、シート本体１１を反転させるように第１部分が曲げられることで）、該第１部分に位置するマイクロニードル１２が主面１１ａから立ち上がる。立ち上がったマイクロニードル１２は図４に示すように皮膚Ｓに適用される。ユーザがアプリケータ１００を動かし続けると、マイクロニードル１２が適用された領域Ｐに、供給端１２３から出てきた貼付剤２０が貼られる。ユーザは、マイクロニードル・シート１０の全体が第１支持板１１１の上側に移り且つ貼付剤２０の全体が供給端１２３から皮膚Ｓに供給されるまで、アプリケータ１００を移動方向９４に沿って動かす。この結果、複数のマイクロニードル１２によって複数の微細な傷が付けられた領域Ｐに貼付剤２０が貼られる。
【００４６】
ユーザは、まずマイクロニードル・シート１０を皮膚に適用して、その後に該皮膚に貼付剤２０を適用するという一連の作業を、アプリケータ１００を移動方向９４に沿って動かすという一つの操作で行うことができる。ユーザはアプリケータ１００を所望の距離だけ動かすことで、マイクロニードル・シート１０および貼付剤２０の適用面積を調整して所望の量の活性成分を投与することができる。アプリケータ１００を用いることで、誰もが同じ方法でマイクロニードル・シート１０および貼付剤２０を皮膚に適用することができる。これは、マイクロニードル・シート１０および貼付剤２０の皮膚への適用におけるばらつきを低減できることを意味する。
【００４７】
［効果］
以上説明したように、本開示の一側面に係るマイクロニードル・シートは、主面を有するシート本体と、シート本体に形成され且つ主面に沿って寝た状態である少なくとも一つのマイクロニードルとを備える。少なくとも一つのマイクロニードルのそれぞれは、シート本体の第１側に位置する根元と、該第１側の反対側であるシート本体の第２側を向く先端とを有する。シート本体の第１部分が第１側から曲げられることで、該第１部分に位置するマイクロニードルが主面から立ち上がり、該立ち上がったマイクロニードルが皮膚に適用される。
【００４８】
このような側面においては、シート本体が曲げられるまではマイクロニードルがシート本体の主面に沿って寝た状態にある。このことは、マイクロニードルが皮膚に適用されるまでは、マイクロニードルの先端が該主面上から突き出ていないことを意味する。したがって、マイクロニードル・シートを皮膚に適用しない限り、マイクロニードルが他の物に当たったり引っ掛かったりする心配がない。その結果、マイクロニードルの取扱時の安全性を確保することができる。
【００４９】
加えて、マイクロニードルはシート本体の主面から立ち上げられて皮膚に適用されるので、マイクロニードル・シートに衝撃を加えることなくマイクロニードルを皮膚に適用することができる。これは、被投与者に恐怖感を与えずに活性成分を投与することを可能にする。
【００５０】
他の側面に係るマイクロニードル・シートでは、シート本体の第１部分が鋭角に曲げられてもよい。このようにシート本体を曲げることでマイクロニードルをより確実に該シート本体の主面から立ち上げることができる。
【００５１】
他の側面に係るマイクロニードル・シートでは、立ち上がったマイクロニードルの先端が皮膚に接し、該皮膚に接した該先端が、第２側から第１側に向かう方向に沿って該皮膚上を進むことで、該立ち上がったマイクロニードルが該皮膚に適用されてもよい。マイクロニードルがこのように動くことで皮膚に微細な傷が付くので、その傷口を介して活性成分をより効率的に生体内に投与することが可能になる。
【００５２】
他の側面に係るマイクロニードル・シートでは、立ち上がったマイクロニードルが皮膚に適用された後に、該マイクロニードルが再び主面に沿って寝た状態になってもよい。マイクロニードルは皮膚に適用される段階でのみシート本体の主面から立ち上がるので、マイクロニードル・シートの使用前だけでなくその使用後にも、マイクロニードルの取扱時の安全性を確保することができる。
【００５３】
他の側面に係るマイクロニードル・シートでは、第１部分が曲げられる前に、該第１部分に位置するマイクロニードルの側面が皮膚に接してもよい。このように第１部分を位置付けることで、第１部分を曲げた際にマイクロニードルをシート本体の主面からより確実に立ち上げることができる。
【００５４】
他の側面に係るマイクロニードル・シートでは、シート本体が帯状であり、少なくとも一つのマイクロニードルが複数のマイクロニードルであり、複数のマイクロニードルが、第１側から第２側にわたって延びるシート本体の第１方向と、該第１方向と直交する第２方向のそれぞれにおいて一列に並ぶように形成されてもよい。帯状のシート本体に複数のマイクロニードルをこのように規則的に配置することで、複数のマイクロニードルを効率的に皮膚に適用することができる。
【００５５】
他の側面に係るマイクロニードル・シートでは、第２方向に沿って第１部分が曲げられることで、第１部分に位置する列の２以上のマイクロニードルが一度に立ち上がってもよい。このように第１部分を曲げることで、複数のマイクロニードルを効率的に皮膚に適用することができる。
【００５６】
本開示の一側面に係るアプリケータは、マイクロニードル・シートと、マイクロニードル・シートを曲げるための曲げ部とを備える。マイクロニードル・シートは、主面を有するシート本体と、シート本体に形成され且つ主面に沿って寝た状態である少なくとも一つのマイクロニードルとを備える。少なくとも一つのマイクロニードルのそれぞれは、シート本体の第１側に位置する根元と、該第１側の反対側であるシート本体の第２側を向く先端とを有する。曲げ部がシート本体の第１部分を第１側から曲げることで、該第１部分に位置するマイクロニードルが主面から立ち上がり、該立ち上がったマイクロニードルが皮膚に適用される。
【００５７】
このような側面においては、シート本体が曲げられるまではマイクロニードルがシート本体の主面に沿って寝た状態にある。このことは、マイクロニードルが皮膚に適用されるまでは、マイクロニードルの先端が該主面上から突き出ていないことを意味する。したがって、マイクロニードル・シートを皮膚に適用しない限り、マイクロニードルが他の物に当たったり引っ掛かったり心配がない。その結果、マイクロニードルの取扱時の安全性を確保することができる。
【００５８】
加えて、マイクロニードルはシート本体の主面から立ち上げられて皮膚に適用されるので、マイクロニードル・シートに衝撃を加えることなくマイクロニードルを皮膚に適用することができる。これは、被投与者に恐怖感を与えずに活性成分を投与することを可能にする。
【００５９】
さらに、そのアプリケータの利用によって、誰もが同じ方法でマイクロニードル・シートを皮膚に適用することが可能になるので、皮膚へのマイクロニードル・シートの適用におけるばらつきを低減することができる。
【００６０】
他の側面に係るアプリケータでは、マイクロニードル・シートと曲げ部とを有する第１カートリッジと、マイクロニードルが適用された皮膚へと貼付剤を供給する第２カートリッジとを備えてもよい。この場合には、ユーザは、まずマイクロニードル・シートを皮膚に適用して、その後に該皮膚に貼付剤を適用するという一連の作業をアプリケータによって簡単に行うことができる。
【００６１】
［変形例］
以上、本開示をその実施形態に基づいて詳細に説明した。しかし、本開示は上記実施形態に限定されるものではない。本開示は、その要旨を逸脱しない範囲で様々な変形が可能である。
【００６２】
上記実施形態では帯状のマイクロニードル・シート１０の長手方向が第１方向であり、幅方向が第２方向であるが、帯状のマイクロニードル・シートの形状と、第１および第２方向との関係はこれに限定されない。例えば、帯状のマイクロニードル・シートの幅方向が第１方向であり、長手方向が第２方向でもよい。マイクロニードル・シートの形状は帯状に限定されない。例えば、その形状は、長さおよび幅が略同じ矩形であってもよいし、円または楕円であってもよいし、八角形などの他の多角形でもよいし、より複雑な形状でもよい。
【００６３】
マイクロニードル・シートはアプリケータと共に用いられてもよいし、アプリケータを用いることなく皮膚に適用されてもよい。
【００６４】
マイクロニードル・シートは、電気（イオントフォレシス（ｉｏｎｔｏｐｈｏｒｅｓｉｓ））、圧力、磁場、超音波（ソノフォレシス（ｓｏｎｏｐｈｏｒｅｓｉｓ））のうちの少なくとも一つを含む他の経皮吸収促進技術と併用することができる。すなわち、他の側面に係るマイクロニードル・シートでは、マイクロニードル・シートが他の経皮吸収促進技術と併用可能であり、他の経皮吸収促進技術が、電気、圧力、磁場、および超音波のうちの少なくとも一つを含んでもよい。マイクロニードル・シートとこれらのような他の技術とを併用することで、活性成分の投与量をさらに増加させることができる。
【００６５】
上記実施形態では、シート本体１１の第１部分が曲げられる前にマイクロニードル・シート１０（シート本体１１）が皮膚上に置かれる。すなわち、シート本体１１の第１部分が曲げられる前にそれぞれのマイクロニードル１２の側面が皮膚に接する。しかし、マイクロニードル・シートを曲げてマイクロニードルを立ち上げて、その立ち上がったマイクロニードルを皮膚に適用することができるのであれば、マイクロニードル・シート（シート本体）を予め皮膚上に置くことは必須ではない。
【００６６】
上記実施形態ではアプリケータ１００が第１カートリッジ１１０および第２カートリッジ１２０を備える。しかし、アプリケータは、マイクロニードル・シート以外のシート部材を皮膚に適用するための構成を備えなくてもよい。例えば、上記のアプリケータ１００に対して、第２カートリッジ１２０を省略する変形を施してもよい。
【００６７】
マイクロニードル・シートを曲げてマイクロニードルを立ち上げることができるのであれば、アプリケータの形状および構造は何ら限定されない。例えば、アプリケータは直線的な一本の棒のような形状を成していてもよい。あるいは、アプリケータは任意の機械的、電気的、または電子的な構造または制御手段を備えてもよい。
【００６８】
上記実施形態では、アプリケータ１００の操作によって曲げ部１１３がマイクロニードル・シート１０へと近づくことでシート本体１１の第１部分が曲げ部１１３上に位置する。しかし、マイクロニードル・シートをアプリケータの曲げ部上に位置させるための仕組みはこれに限定されない。例えば、マイクロニードル・シートが曲げ部へと近づく構成が採用されてもよい。
【００６９】
上記実施形態では、アプリケータ１００はマイクロニードル・シート１０および貼付剤２０を皮膚に適用する機能を有する。しかし、マイクロニードル・シートと共に用いられるシート部材は貼付剤に限定されず、他の任意の種類のシート部材がマイクロニードル・シートと共に用いられてもよい。
【００７０】
［マイクロニードル・デバイスの使用方法］
アプリケータを用いるか否かにかかわらず、マイクロニードル・シートの使用方法を上記の説明に基づいて以下のように規定することができる。
（項目１）
主面を有するシート本体と、該シート本体に形成され且つ該主面に沿って寝た状態である少なくとも一つのマイクロニードルとを備えるマイクロニードル・シートを準備するステップであって、該少なくとも一つのマイクロニードルのそれぞれが、該シート本体の第１側に位置する根元と、該第１側の反対側である該シート本体の第２側を向く先端とを有する、該ステップと、
前記シート本体の第１部分を前記第１側から曲げ、これにより、該第１部分に位置する前記マイクロニードルを前記主面から立ち上げるステップと、
前記立ち上がったマイクロニードルを皮膚に適用するステップと
を含む方法。
（項目２）
前記第１部分を曲げるステップが、前記第１部分を鋭角に曲げることを含む、
項目１に記載の方法。
（項目３）
前記立ち上がったマイクロニードルを適用するステップが、
前記立ち上がったマイクロニードルの前記先端を前記皮膚に当てるステップと、
前記皮膚に接した前記先端を、該皮膚上において前記第２側から前記第１側に向かう方向に沿って進ませるステップとを含む、
項目１または２に記載の方法。
（項目４）
前記立ち上がったマイクロニードルを前記皮膚に適用した後に、該マイクロニードルを再び前記主面に沿って寝た状態にさせるステップをさらに含む項目１〜３のいずれか一項に記載の方法。
（項目５）
前記第１部分を曲げる前に、該第１部分に位置する前記マイクロニードルの側面を前記皮膚に当てるステップをさらに含む項目１〜４のいずれか一項に記載の方法。
（項目６）
前記シート本体が帯状であり、
前記少なくとも一つのマイクロニードルが複数のマイクロニードルであり、
前記複数のマイクロニードルが、前記第１側から前記第２側にわたって延びる前記シート本体の第１方向と、該第１方向と直交する第２方向のそれぞれにおいて一列に並ぶように形成される、
項目１〜５のいずれか一項に記載の方法。
（項目７）
前記第１部分を曲げるステップが、前記第２方向に沿って前記第１部分を曲げることで、前記第１部分に位置する列の２以上のマイクロニードルを一度に立ち上げることを含む、
項目６に記載の方法。
（項目８）
電気、圧力、磁場、および超音波のうちの少なくとも一つを含む他の経皮吸収促進技術を使用するステップをさらに含む項目１〜７のいずれか一項に記載の方法。
【符号の説明】
【００７１】
１０…マイクロニードル・シート、１１…シート本体、１１ａ…主面、１１ｂ…第１部分、１２…マイクロニードル、１２ａ…マイクロニードルの先端、１３…第１端、１４…第２端、２０…貼付剤、９１…第１側、９２…第２側、１００…アプリケータ、１１０…第１カートリッジ、１１１…第１支持板、１１２…第１フィルム、１１３…曲げ部、１２０…第２カートリッジ、１２１…第２支持板、１２２…第２フィルム、１２３…供給端、Ｓ…皮膚、Ｈ…傷。
【図１】
2021070568.tif 000003
【図２】
2021070568.tif 000004
【図３】
2021070568.tif 000005
【図４】
2021070568.tif 000006
【図５】
2021070568.tif 000007
【図６】
2021070568.tif 000008
【図７】
2021070568.tif 000009
【図８】
2021070568.tif 000010
【国際調査報告】
2021070568.tif 000011
2021070568.tif 000012
2021070568.tif 000013
2021070568.tif 000014